(57)【要約】【課題】中心機構の周囲に配置される支持体のメンテナンスを容易に行うことができ、作業員の負担を軽減することができるタイヤ加硫機、および、タイヤ加硫機のメンテナンス方法を提供する。【解決手段】下プラテン１４を備える支持体１３と、端部にフランジ部３３を備え、フランジ部３３が貫通孔２５の周縁部に着脱可能に支持されるガイド部材３１と、ガイド部材３１に対してスライド可能に挿通されるバグヘッド３７と、を備え、バグヘッド３７は、ガイド部材３１に対して予め設定された所定位置まで没入された場合に、ガイド部材３１に当接してバグヘッド３７の没入方向への変位を規制する規制部材７０を備え、規制部材７０は、バグヘッド３７の外周面から外側に向かって突出するとともに、外周面に対して着脱可能に取り付けられることを特徴している。【選択図】図１
2014091281.tif 000002
【特許請求の範囲】
【請求項１】
加硫成型するための金型を支持すると共に前記金型の内部に連通する貫通孔が形成されたプラテン部を備える支持体と、
端部にフランジ部を備え、該フランジ部が前記貫通孔の周縁部に着脱可能に支持されるガイド部材と、
該ガイド部材に対してスライド可能に挿通されるバグヘッドと、を備え、
前記バグヘッドは、
前記ガイド部材に対して予め設定された所定位置まで没入された場合に、前記ガイド部材に当接して前記バグヘッドの没入方向への変位を規制する規制部材を備え、
該規制部材は、前記バグヘッドの外周面から外側に向かって突出するとともに、前記外周面に対して着脱可能に取り付けられることを特徴とするタイヤ加硫機。
【請求項２】
前記規制部材は、前記ガイド部材の全周に亘る環状に形成される請求項１に記載のタイヤ加硫機。
【請求項３】
前記バグヘッドには、周方向に溝が形成され、
前記規制部材は、前記バグヘッドの周方向に分割形成され、該規制部材の内周部が前記溝内に配される請求項２に記載のタイヤ加硫機。
【請求項４】
前記支持体は、前記プラテン部を支持するプレート部を備え、該プレート部は、前記プラテン部を押圧可能な押圧機構を備える請求項１から３の何れか一項に記載のタイヤ加硫機。
【請求項５】
請求項１から４の何れか一項に記載のタイヤ加硫機のメンテナンス方法であって、
前記ガイド部材から前記バグヘッドを突出させる突出工程と、
前記バグヘッドから規制部材を取り外す規制解除工程と、
前記ガイド部材の前記フランジ部を前記支持体から取り外し、前記ガイド部材を前記バグヘッドの端部側にスライドさせて前記バグヘッドから前記ガイド部材を離脱させるガイド離脱工程と、
前記プラテン部を取り外すプラテン取り外し工程と、を備えるタイヤ加硫機のメンテナンス方法。
【発明の詳細な説明】
【技術分野】
【０００１】
この発明は、タイヤ加硫機、および、タイヤ加硫機のメンテナンス方法に関する。
【背景技術】
【０００２】
高圧・高温状態でタイヤの加硫工程を実施するタイヤ加硫機にあっては、一般に、金型に収められたタイヤを内側から押し付ける袋状のブラダーを備えている。このブラダーは、下金型を支持する支持体の中央部に設けられた中心機構に取り付けられている場合が多い。ブラダーの内部には、中心機構に形成された給排気通路を介して、蒸気、温水及び、窒素などのガス等、加硫媒体となる流体が給排気可能となっており、タイヤを押圧する際には、上記加硫媒体によってブラダーが膨らむようになっている（例えば、特許文献１〜３参照）。
【０００３】
図１１に示すように、中心機構１３０は、支持体１１３の中央に形成された貫通孔１２５に取り付けられたガイド部材１３１と、このガイド部材１３１に沿って昇降するバグヘッド１３７と、このバグヘッド１３７の中央部に形成されたガイド孔１３６内を昇降するセンターポスト１４６を備えている。センターポスト１４６の上端部には、ブラダー（図示せず）の上部を把持する上部クランプリング（図示せず）が取り付けられ、バグヘッド１３７には、ブラダーの下部を把持する下部クランプリング（図示せず）が取り付けられる。上記センターポスト１４６は、バグヘッド１３７の下方に配置されたセンターポストシリンダー１４４のピストンロッドを構成、または、センターポストシリンダー１４４のピストンロッド先端部の螺子等により連結されてピストンロッドと共にスライドする。センターポストシリンダー１４４には、ブラケット１４０を介してビードリフトシリンダー１４１が取り付けられている。
【０００４】
例えば、上記センターポストシリンダー１４４を伸長させることで、センターポスト１４６の上端部がバグヘッド１３７から上方に向かって突出してブラダーの外径が縮小される。これにより、タイヤのビードよりも内側にブラダーを入り込ませたり、タイヤの内周面からブラダーを剥離させたりすることが可能となる。
一方で、ビードリフトシリンダー１４１を伸長させた場合には、バグヘッド１３７がセンターポスト１４６と共に上方に変位して、金型（図示せず）内に収容された加硫済みタイヤのビード部を下方から押圧して離型させることができる。
【０００５】
金型を下方から支持する支持体１１３は、例えば、金型を加熱する熱板である下プラテン１１４と、下プラテン１１４を下方から支持する支持プレート１１６と、これら下プラテン１１４と支持プレート１１６との間に設けられ下プラテン１１４の熱を遮断する断熱材１１５とを備えている。また、図１１に示す支持体１１３の支持プレート１１６には、空気，窒素ガス、水、油等の流体により作動するピストン１１７が設けられており、このピストン１１７によって、内圧上昇等により開放方向に変位しようとする金型を閉塞方向に押圧することが可能となっている。
【０００６】
上述した中心機構１３０を構成するガイド部材１３１の上端部は、径方向外側に向かって延びるフランジ部１３３を有し、このフランジ部１３３が、下プラテン１１４の貫通孔の周縁部に、上方からボルト等によって固定されることで、ガイド部材１３１が支持体１１３に固定されている。ガイド部材１３１は、バグヘッド１３７から下方に延びる内筒の外径よりも僅かに大きい内径を有した小径部１３５と、この小径部１３５よりも内径が大きく上記フランジ部１３３が上縁に形成された大径部１３４とを備えている。また、バグヘッド１３７には、その上部の外周面に規制部１７０が形成されている。規制部１７０は、その径方向における外側の端部が、ガイド部材１３１の小径部１３５の内周面よりも径方向外側で、且つ、大径部１３４の内周面よりも僅かに径方向内側となる位置に配置されている。これにより、バグヘッド１３７がガイド部材１３１の小径部１３５側にスライドして所定の昇降位置となった場合に、ガイド部材１３１の小径部１３５と大径部１３４との間の段差部にバグヘッド１３７の規制部１７０が突き当たり、バグヘッド１３７の小径部１３５側への変位が規制される。
【先行技術文献】
【特許文献】
【０００７】
【特許文献１】特開平１０−１５６８３３号公報
【特許文献２】特開平１１−０４２６４５号公報
【特許文献３】特開２０１０−２４１０９０号公報
【発明の概要】
【発明が解決しようとする課題】
【０００８】
ところで、上述したタイヤ加硫機にあっては、メンテナンス等により支持体１１３の下プラテン１１４等を取り外す必要が生じる場合がある。とりわけ、金型を下方から押圧するためのピストン１１７などの押圧機構が設けられている場合には、下プラテン１１４からの熱の影響により、または支持プレート１１６、ピストン１１７、シール材１２３の内部に前記流体を封入してピストン１１７が上下方向に摺動することにより、ピストン１１７の内外周部をシールするシール材１２３の交換頻度が高くなる虞がある。しかしながら、上記支持体１１３の構成部品を取り外す場合には、センターポストシリンダー１４４、および、ビードリフトシリンダー１４１等に接続される複数の配管及び配線や、バグヘッド１３７の給排気通路１６２，１６３等に接続される複数の配管を取り外した後に、バグヘッド１３７、ガイド部材１３１、センターポストシリンダー１４４、ビードリフトシリンダー１４１などを一つのアッセンブリーとして一体的に持ち上げて貫通孔１２５から抜出した後に、下プラテン１１４の取り外しを行うこととなる。上記アッセンブリーの重量は、数百キログラムから数トン以上にも及ぶ場合があるため、クレーンなどで慎重に吊り上げて作業を行う必要があり、メンテナンス作業に当たる作業員の負担が非常に大きいという課題がある。
【０００９】
この発明は、上記事情に鑑みてなされたものであり、中心機構の周囲に配置される支持体のメンテナンスを容易に行うことができ、作業員の負担を軽減することができるタイヤ加硫機、および、タイヤ加硫機のメンテナンス方法を提供する。
【課題を解決するための手段】
【００１０】
上記の課題を解決するために以下の構成を採用する。
この発明に係るタイヤ加硫機は、加硫成型するための金型を支持すると共に前記金型の内部に連通する貫通孔が形成されたプラテン部を備える支持体と、端部にフランジ部を備え、該フランジ部が前記貫通孔の周縁部に着脱可能に支持されるガイド部材と、該ガイド部材に対してスライド可能に挿通されるバグヘッドと、を備え、前記バグヘッドは、前記ガイド部材に対して予め設定された所定位置まで没入された場合に、前記ガイド部材に当接して前記バグヘッドの没入方向への変位を規制する規制部材を備え、該規制部材は、前記バグヘッドの外周面から外側に向かって突出するとともに、前記外周面に対して着脱可能に取り付けられることを特徴としている。
このように構成することで、例えばバグヘッドを突出させて、バグヘッドの外周面から規制部材を取り外すことでガイド部材に対するバグヘッドの相対移動が制限無く可能になる。さらに、フランジ部を支持体から取り外すことで、バグヘッドおよび支持体に対してガイド部材を上方に相対移動させることが可能となり、ガイド部材を単体で取り外すことが可能となる。
【００１１】
さらに、この発明に係るタイヤ加硫機は、上記タイヤ加硫機において、前記規制部材は、前記ガイド部材の全周に亘る環状に形成されていてもよい。
このように構成することで、規制部材がガイド部材に当接するような場合には、荷重が一箇所に集中せずに、全周に亘って分散させることが可能となる。
【００１２】
さらに、この発明に係るタイヤ加硫機は、上記タイヤ加硫機において、前記バグヘッドには、周方向に溝が形成され、前記規制部材は、前記バグヘッドの周方向に分割形成され、該規制部材の内周部が前記溝内に配されるようにしてもよい。
このように構成することで、分割された規制部材を径方向に容易に着脱することができるとともに、規制部材の内周部が溝内に配されることで、規制部材に軸方向の力が加わった場合に、その力の殆どが規制部材に加わり、規制部材を固定するためのボルト等の部材にせん断方向の力が直接的に加わるのを抑制することができる。
【００１３】
さらに、この発明に係るタイヤ加硫機は、上記タイヤ加硫機において、前記支持体は、前記プラテン部を支持するプレート部を備え、該プレート部は、前記プラテン部を押圧可能な押圧機構を備えていてもよい。
このように構成することで、とりわけ支持体が押圧機構を有し、メンテナンス頻度が高くなる傾向がある場合に、支持体が容易に取り外し可能となることで、メンテナンスに掛かる時間を短縮して、装置の年間の稼働時間を増加することができる。
【００１４】
さらに、この発明に係るタイヤ加硫機のメンテナンス方法は、上述した何れか一つのタイヤ加硫機のメンテナンス方法であって、前記ガイド部材から前記バグヘッドを突出させる突出工程と、前記バグヘッドから規制部材を取り外す規制解除工程と、前記ガイド部材の前記フランジ部を前記支持体から取り外し、前記ガイド部材を前記バグヘッドの端部側にスライドさせて前記バグヘッドから前記ガイド部材を離脱させるガイド離脱工程と、前記プラテン部を取り外すプラテン取り外し工程と、を備えることを特徴としている。
このように構成することで、プラテン部の下方に配置されている種々の機構について容易にアクセスすること可能となる。
【発明の効果】
【００１５】
この発明に係るタイヤ加硫機、および、タイヤ加硫機のメンテナンス方法によれば、中心機構の周囲に配置される支持体のメンテナンスを容易に行うことができ、作業員の負担を軽減することが可能となる。
【図面の簡単な説明】
【００１６】
【図１】この発明の実施形態におけるタイヤ加硫機の中心機構の部分断面図である。
【図２】上記中心機構のガイド部のフランジ部の拡大断面図である。
【図３】上記中心機構の規制部材の拡大断面図である。
【図４】上記中心機構の平面図である。
【図５】上記タイヤ加硫機のビードリフトシリンダーの正面図である。
【図６】上記タイヤ加硫機の中心機構からブラダーを取り外した状態を示す部分断面図である。
【図７】上記タイヤ加硫機のバグヘッドを上方に突出させた状態を示す部分断面図である。
【図８】上記タイヤ加硫機のガイド部材を上方に抜出した状態を示す部分断面図である。
【図９】上記タイヤ加硫機の下プラテン、断熱材、ピストンを一体的に取り外した状態を示す部分断面図である。
【図１０】上記実施形態の変形例におけるタイヤ加硫機の中心機構の図１に相当する図である。
【図１１】一般的なタイヤ加硫機の中心機構における図１に相当する部分断面図である。
【発明を実施するための形態】
【００１７】
次に、この発明の実施形態におけるタイヤ加硫機について図面に基づき説明する。
図１は、この実施形態のタイヤ加硫機の中心機構を示す部分断面図である。
図１に示すように、タイヤ加硫機１は、未加硫の生タイヤＴに対して熱と圧力を加えることで化学反応を生じさせる加硫工程を行う装置であり、生タイヤＴを加硫成型するための下金型１１と上金型１２とにより分割形成される金型１０を備えている。上金型１２は、図示しない昇降機構に支持されて、下金型１１に対して上下方向で近接・離間可能となっている。一方で、下金型１１は、金型１０を下方から支持する支持体１３の下プラテン（プラテン部）１４に接するように配置されている。
【００１８】
下プラテン１４は、図示しない熱源によって温度上昇可能な熱板であり、下金型１１を下方から支持すると同時に加熱することが可能となっている。下プラテン１４の下方には、下プラテン１４の熱が下方に伝達されないように遮断する断熱材１５と、下プラテン１４および断熱材１５を下方から支持するボトムプレート部１６が配置されている。ボトムプレート部１６は、その上部に、下プラテン１４を昇降させることで下金型１１を押圧可能な押圧機構１７を備えている。
【００１９】
押圧機構１７は、円環板状のピストン部１８と、このピストン部１８が没入されシリンダー室を画成する円環状の溝部１９とを備え、溝部１９の内周内壁２０と外周内壁２１とには、それぞれピストン部１８の内周面２２ａおよび外周面２２ｂと溝部１９の内周内壁２０および外周内壁２１との間から作動流体が漏出しないように、Ｏリングなどのシール部材２３が取り付けられている。また、ボトムプレート部１６には、押圧機構１７に作動流体を給排気するための図示しない給排通路が形成されており、下プラテン１４とピストン部１８とは、断熱材１５を挟み込むようにしてボルト２４により一体化されている。なお、ボトムプレート部１６は、図示しない装置フレームに固定されている。
【００２０】
支持体１３には、金型１０の内部に連通する貫通孔２５が形成され、この貫通孔２５に、中心機構３０が取り付けられている。
中心機構３０は、上下方向に延びる略管状のガイド部材３１を備えている。このガイド部材３１は、その端部、より具体的には、上側の端部３２に、径方向外側に延びるフランジ部３３を備えている。ここで、図２を併せて参照し、上述した下プラテン１４の上面１４ａ側には、貫通孔２５の周縁に段差部２６が形成されており、フランジ部３３は、この下プラテン１４の段差部２６に嵌合されてボルト２７により下プラテン１４に着脱可能に締結されている。
【００２１】
ガイド部材３１は、フランジ部３３が形成される大径部３４と、この大径部３４よりも下方でやや小径に縮径形成された小径部３５と、を備えている。ガイド部材３１は、上下方向で、支持体１３よりも下方に延出するように取り付けられている。
【００２２】
ガイド部材３１には、内筒３８がスライド可能に挿通されている。内筒３８は、上述した小径部３５の内径よりも僅かに小さい外径を備える略円筒状に形成されている。この内筒３８の上側には、内筒３８と軸線が連なるようにして略円柱状のバグヘッド３７が一体的に取り付けられている。また、内筒３８の下側の端面３９には、内筒３８の径方向両外側に向かって延びるブラケット４０が取り付けられており、このブラケット４０を介して内筒３８よりも外側の対称位置にビードリフトシリンダー４１が取り付けられている。
【００２３】
図５を併せて参照し、ビードリフトシリンダー４１は、ロッド部４２とシリンダー部４３とを備えている。ビードリフトシリンダー４１は、シリンダー部４３の上部にロッドフランジ８１を備えている。このロッドフランジ８１は、複数本の締結部品８２を介して、その上方に配置されたプレート８３に固定されている。このプレート８３には、複数本のロッド８４の下端が締結部品８５を介して固定されている。これらロッド８４の上端は、それぞれボトムプレート部１６に螺合されている。
【００２４】
ロッド部４２の上端部には、螺子８６が形成されている。これらロッド部４２に形成された螺子８６は、ブラケット４０に形成された貫通孔８７に挿入される。これら螺子８６には、ブラケット４０を上下から挟み込むようにナット８８が螺合されている。これらナット８８を締め付けることで、ブラケット４０とビードリフトシリンダー４１のロッド部４２とが固定されている。つまり、ビードリフトシリンダー４１が伸長方向に駆動されることで、ガイド部材３１に沿ってバグヘッド３７の本体部３８が上方にスライドし、ビードリフトシリンダー４１が圧縮方向に駆動されることで、ガイド部材３１に沿ってバグヘッド３７の本体部３８が下方にスライドする。
【００２５】
図１に示すように、内筒３８の下部には、センターポストシリンダー４４が取り付けられている。センターポストシリンダー４４は、シリンダー部４５とセンターポスト部４６とを備えており、シリンダー部４５の上部がブラケット４０を介して本体部３８の下部に固定されている。センターポスト部４６は、センターポストシリンダー４４のピストンロッドを構成、または、センターポストシリンダー４４のピストンロッド（図示せず）の先端部に螺子等により連結されてバグヘッド３７を上下方向にスライド可能に貫通している。センターポスト部４６の上方へ突出する長さは、センターポストシリンダー４４を伸縮駆動させることで変化可能になっている。
【００２６】
バグヘッド３７の上部には、加硫成形時、生タイヤＴを内側から金型１０に押圧するためのブラダー５０が取り付けられている。より具体的には、ブラダー５０の下部開口部５１の周縁部５２に、略円環状のクランプリング５３が係合され、このクランプリング５３がバグヘッド３７の上部外周面に形成された雄ネジ部５４に螺合されることで、ブラダー５０の下部開口部５１の周縁部５２がバグヘッド３７に取り付けられている。クランプリング５３の周方向外側には、生タイヤＴのビード部５５を下方から支持する下ビードリング５６が取り付けられており、これらクランプリング５３および下ビードリング５６がバグヘッド３７と共に昇降されるようになっている。なお、クランプリング５３とバグヘッド３７との間には、流体が外部に漏出しないようにシール部材Ｓが装着されている。
【００２７】
一方で、ブラダー５０の上部開口部５７の周縁部５８には、略円盤状のクランプリング５９が係合され、クランプリング５９がセンターポスト部４６の上端部６０にボルト６１を介して取り付けられている。
また、バグヘッド３７の上部には、ブラダー５０内に蒸気、温水、窒素ガス等の加硫媒体である流体を供給するための供給通路６２と、ブラダー５０内に供給された流体を排出するための排出通路６３とが接続されるノズル４７が取付られており、供給通路６２と排出通路６３とには、上記流体を給排するための外部配管（図示せず）がそれぞれ接続されている。
【００２８】
ここで、バグヘッド３７に対するセンターポスト部４６の突出量を増加させた場合には、生タイヤＴに対してブラダー５０を剥離させることができ、バグヘッド３７の突出量を減少させてタイヤの軸方向の幅と同等にし、ブラダー５０の内部に流体を供給して内圧を上昇させることで、生タイヤＴの内面に対してブラダー５０を密着させて押圧することが可能となる。さらに、バグヘッド３７を上方にスライド変位させた場合には、加硫済みタイヤのビード部５５を、下ビードリング５６によって下方から押圧して、加硫済みタイヤを下金型１１から剥離させることが可能となっている。
【００２９】
図１、図３、図４に示すように、バグヘッド３７には、ガイド部材３１に対して予め設定された所定の昇降位置まで没入された場合に、ガイド部材３１に当接してバグヘッド３７の没入方向への変位を規制する規制部材７０が複数のボルト７２によって着脱可能に取り付けられている。
【００３０】
規制部材７０は、ガイド部材３１の周方向で複数、より具体的には２つの分割片７１に分割されている。一方で、バグヘッド３７の本体部３８の外周面には、規制部材７０を取り付けるための環状溝７３が周方向の全周に形成されている。分割片７１は、その径方向内側の内径部（内周部）７４が環状溝７３に嵌り込み、径方向外側の外径部７５が、バグヘッド３７の外周面よりも径方向外側に向かって突出している。上記分割片７１は、バグヘッド３７への取り付け状態で、バグヘッド３７の周方向の全周に亘る略環状となり、その外径が、上述したガイド部材３１の小径部３５の内径よりも大径となっている。つまり、所定の昇降位置までバグヘッド３７が没入方向に変位されると、小径部３５の上端部でガイド部材３１に当接して、それ以上の没入方向への変位が規制されることとなる。なお、分割片７１の外径は、大径部３４の内径よびも僅かに小径に形成されている。
【００３１】
この実施形態のタイヤ加硫機１は上述した構成を備えており、次に、上記タイヤ加硫機１の支持体１３のメンテナンス方法、特に、ピストン部１８のシール部材２３を交換する際に生じる下プラテン１４、断熱材１５、およびピストン部１８の取り外しに掛かる工程について図面を参照しながら説明する。
図６に示すように、まず、バグヘッド３７からブラダー５０等の部材を取り外した状態にする。
次いで、図７に示すように、バグヘッド３７を突出させる突出工程として、規制部材７０が、高さ方向で下プラテン１４の上面よりも上方に位置するように、ビードリフトシリンダー４１を駆動してバグヘッド３７を突出させて停止させる。さらに、規制解除工程として、ボルト７２を取り外して、バグヘッド３７から規制部材７０を離脱させる。これにより、ガイド部材３１に対するバグヘッド３７の没入方向への相対的な変位が可能な状態となる。
【００３２】
次いで、図８に示すように、ガイド離脱工程として、ガイド部材３１のフランジ部３３を下プラテン１４に固定しているボルト２７を取り外し、ガイド部材３１を上方にスライドさせてバグヘッド３７から取り外す。ここで、ガイド部材３１を上方にスライドさせる際には、ガイド部材３１のフランジ部３３を掴んで持ち上げることとなるが、例えば、予めフランジ部３３の上面に被係止部（図示せず）を形成しておき、この被係止部にクレーンの先端などに取り付けられた係止部を係止して持ち上げるようにすることで、より簡単にガイド部材３１をバグヘッド３７から取り外すことが可能になる。
【００３３】
さらに、図９に示すように、プラテン取り外し工程として、下プラテン１４と断熱材１５とピストン部１８とがボルト２４で一体化されたアッセンブリーを、上述したガイド部材３１と同様に、上方に持ち上げてボトムプレート部１６から離脱させる。これにより、押圧機構１７のシール部材２３にアクセス可能となり、シール部材２３の交換などの作業が可能となる。
【００３４】
ここで、ガイド部材３１のフランジ部３３と同様に、例えば、下プラテン１４の上面に予め被係止部を形成しておくことが好ましい。このようにすることで、下プラテン１４と断熱材１５とピストン部１８とがボルト２４で一体化されたアッセンブリーを、容易に取り外すことができる。また、ピストン部１８を持ち上げる際に、溝部１９とピストン部１８とにより画成されるシリンダー室に流体を供給しながらピストン部１８を持ち上げることで、より簡単にピストン部１８を溝部１９から離脱させることが可能となる。
なお、メンテナンス終了後の支持体１３および中心機構３０の組立は、上記各工程を逆手順で行えばよい。
【００３５】
したがって、上述した実施形態のタイヤ加硫機１によれば、バグヘッド３７を突出させて、バグヘッド３７の外周面から規制部材７０を取り外すことでガイド部材３１に対するバグヘッド３７の変位、すなわち、没入方向への相対移動が制限無く可能になる。さらに、フランジ部３３を支持体１３から取り外すことで、バグヘッド３７および支持体１３に対してガイド部材３１を上方に相対移動させることが可能となり、ガイド部材３１を単体で取り外すことが可能となる。その結果、中心機構３０の周囲に配置される支持体１３のメンテナンスを容易に行うことができ、作業員の負担を軽減することが可能になる。
【００３６】
また、規制部材７０がバグヘッド３７の全周に亘る環状に形成されることで、規制部材７０がガイド部材３１に当接するような場合には、荷重が一箇所に集中せずに、全周に亘り分散させることが可能となる。その結果、規制部材７０やバグヘッド３７に歪みが生じたり破損したりするのを防止することができる。
【００３７】
さらに、規制部材７０がバグヘッド３７の環状溝７３内に配されることで、規制部材７０に軸方向の力が加わったとしても、規制部材７０が軸方向で環状溝７３により支持されるので、軸方向の力の殆どが規制部材７０に加わることとなり、規制部材７０を固定するためのボルト７２に直接的にせん断方向の力が加わるのを抑制することができる。その結果、ボルト７２の破損を防止して、信頼性の向上を図ることができる。
また、規制部材７０がバグヘッド３７の周方向に分割形成されていることで、分割片７１を径方向で着脱することができるため、容易に着脱作業を行うことができる。
【００３８】
さらに、支持体１３が押圧機構１７を有し、メンテナンス頻度が高くなる傾向がある場合に、支持体１３が容易に取り外し可能となることで、メンテナンスに掛かる時間を短縮して装置の年間の稼働時間を増加することができる。
【００３９】
また、押圧機構１７に限られず、支持体１３の下プラテン１４の下方に配置されている構成部材に容易にアクセスすることができるため、支持体１３のメンテナンス作業に掛かる作業員の負担を軽減することができる。
【００４０】
なお、この発明は上述した実施形態の構成に限られるものではなく、その要旨を逸脱しない範囲で設計変更可能である。
例えば、上述した実施形態では、支持体１３のボトムプレート部１６に押圧機構１７が内蔵される場合について説明したが、下プラテン１４を昇降させる機構であればボトムプレート部１６に内蔵される押圧機構１７に限られず、例えば、図１０に示すように、ボトムプレート部１６の下方を支持して下プラテン１４からボトムプレート部１６までを同時に昇降させることが可能な流体圧シリンダー２１７などを設けても良い。この場合、ボルト１２４によって、下プラテン１４、断熱材１５、および、ボトムプレート部１６を一体化させることが好ましい。このようにすることで、上述した実施形態と同様の手順によりガイド部材３１を取り外し、中心機構を全て取り外すことなしに下プラテン１４、断熱材１５、および、ボトムプレート部１６を一体的に取り外すことができるため、容易に流体圧シリンダー２１７にアクセスすることができる。
【００４１】
また、上述した実施形態では、バグヘッド３７の外周に環状溝７３を形成する場合について説明したが、ボルト７２の強度が十分に確保されている場合には、上記環状溝７３を省略しても良い。
また、上述した実施形態においては、規制部材７０が周方向に分割形成される場合について説明したが、規制部材７０を、その内周側に雌ネジ部が形成された円環状に形成する一方で、バグヘッド３７の外周面に雄ネジ形成して、バグヘッド３７に規制部材７０を螺合することで取り付けるようにしてもよい。
【００４２】
また、上述した実施形態においては、支持体１３が押圧機構１７を備え、当該押圧機構１７をメンテナンスする場合を一例にして説明したが、押圧機構１７を備えないタイヤ加硫機にも適用可能である。この場合は、支持体１３をメンテナンスする際に上述した手順で支持体１３を分解するようにすれば良く、これにより支持体１３のメンテナンスを容易に行うことができる。
さらに、上述した実施形態においては、規制部材７０がガイド部材３１の全周に亘る環状に形成される一例を説明したが、バグヘッド３７の没入方向への変位を規制するために十分な強度が得られる場合には、複数の規制部材を、高さ方向（換言すれば、軸線方向）の同じ位置で、周方向に離間して設けてもよい。
【符号の説明】
【００４３】
１１  下金型（金型）
１３  支持体
１４  下プラテン（プラテン部）
１６  ボトムプレート（プレート部）
１７  押圧機構
２５  貫通孔
３１  ガイド部材
３３  フランジ部
３７  バグヘッド
７０  規制部材
７３  環状溝（溝）
７４  内径部（内周部）
【図１】
2014091281.tif 000003
【図２】
2014091281.tif 000004
【図３】
2014091281.tif 000005
【図４】
2014091281.tif 000006
【図５】
2014091281.tif 000007
【図６】
2014091281.tif 000008
【図７】
2014091281.tif 000009
【図８】
2014091281.tif 000010
【図９】
2014091281.tif 000011
【図１０】
2014091281.tif 000012
【図１１】
2014091281.tif 000013
【手続補正書】
【提出日】平成25年3月12日(2013.3.12)
【手続補正１】
【補正対象書類名】特許請求の範囲
【補正対象項目名】全文
【補正方法】変更
【補正の内容】
【特許請求の範囲】
【請求項１】
加硫成型するための金型を支持すると共に前記金型の内部に連通する貫通孔が形成されたプラテン部を備える支持体と、
端部にフランジ部を備え、該フランジ部が前記貫通孔の周縁部に着脱可能に支持されるガイド部材と、
該ガイド部材に対してスライド可能に挿通されるバグヘッドと、を備え、
前記バグヘッドは、
前記ガイド部材に対して予め設定された所定位置まで没入された場合に、前記ガイド部材に当接して前記バグヘッドの没入方向への変位を規制する規制部材を備え、
該規制部材は、前記バグヘッドの外周面から外側に向かって突出するとともに、前記外周面に対して着脱可能に取り付けられ、
前記規制部材が取り外されることによって、前記ガイド部に対する前記バグヘッドの相対的な没入方向への変位が可能となり、前記フランジ部を前記支持体から取り外した前記ガイド部材が上方にスライドされて前記バグヘッドから取り外すことが可能であることを特徴とするタイヤ加硫機。
【請求項２】
前記規制部材は、前記ガイド部材の全周に亘る環状に形成される請求項１に記載のタイヤ加硫機。
【請求項３】
前記バグヘッドには、周方向に溝が形成され、
前記規制部材は、前記バグヘッドの周方向に分割形成され、該規制部材の内周部が前記溝内に配される請求項２に記載のタイヤ加硫機。
【請求項４】
前記支持体は、前記プラテン部を支持するプレート部を備え、該プレート部は、前記プラテン部を押圧可能な押圧機構を備える請求項１から３の何れか一項に記載のタイヤ加硫機。
【請求項５】
請求項１から４の何れか一項に記載のタイヤ加硫機のメンテナンス方法であって、
前記ガイド部材から前記バグヘッドを突出させる突出工程と、
前記バグヘッドから規制部材を取り外す規制解除工程と、
前記ガイド部材の前記フランジ部を前記支持体から取り外し、前記ガイド部材を前記バグヘッドの端部側にスライドさせて前記バグヘッドから前記ガイド部材を離脱させるガイド離脱工程と、
前記プラテン部を取り外すプラテン取り外し工程と、を備えるタイヤ加硫機のメンテナンス方法。
【手続補正２】
【補正対象書類名】明細書
【補正対象項目名】００１０
【補正方法】変更
【補正の内容】
【００１０】
上記の課題を解決するために以下の構成を採用する。
この発明に係るタイヤ加硫機は、加硫成型するための金型を支持すると共に前記金型の内部に連通する貫通孔が形成されたプラテン部を備える支持体と、端部にフランジ部を備え、該フランジ部が前記貫通孔の周縁部に着脱可能に支持されるガイド部材と、該ガイド部材に対してスライド可能に挿通されるバグヘッドと、を備え、前記バグヘッドは、前記ガイド部材に対して予め設定された所定位置まで没入された場合に、前記ガイド部材に当接して前記バグヘッドの没入方向への変位を規制する規制部材を備え、該規制部材は、前記バグヘッドの外周面から外側に向かって突出するとともに、前記外周面に対して着脱可能に取り付けられ、前記規制部材が取り外されることによって、前記ガイド部に対する前記バグヘッドの相対的な没入方向への変位が可能となり、前記フランジ部を前記支持体から取り外した前記ガイド部材が上方にスライドされて前記バグヘッドから取り外すことが可能であることを特徴としている。
このように構成することで、例えばバグヘッドを突出させて、バグヘッドの外周面から規制部材を取り外すことでガイド部材に対するバグヘッドの相対移動が制限無く可能になる。さらに、フランジ部を支持体から取り外すことで、バグヘッドおよび支持体に対してガイド部材を上方に相対移動させることが可能となり、ガイド部材を単体で取り外すことが可能となる。